(57)【要約】【課題】診察者による被検体の適切な診断を支援することができる表示制御装置、表示制御方法、及び表示制御プログラムを得る。【解決手段】表示制御装置１０は、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、それぞれの検査結果の頻度に応じて異なる色又は濃度で表示する制御を行う表示制御部４６と、を備える。【選択図】図４
2019200770.tif 000002
【特許請求の範囲】
【請求項１】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、それぞれの検査結果の頻度に応じて異なる色又は濃度で表示する制御を行う表示制御部
を備えた表示制御装置。
【請求項２】
前記被検体が動物である場合、前記品種は動物の品種であり、
前記被検体が人間である場合、前記品種は人種である
請求項１に記載の表示制御装置。
【請求項３】
前記表示制御部は、前記被検体個体の前記複数の検査結果を表す情報を表示する制御を行う場合、前記被検体個体の前記所定数分の検査結果よりも過去の複数の検査結果を表す情報を表示する制御を行う
請求項１又は請求項２に記載の表示制御装置。
【請求項４】
前記表示制御部は、前記被検体個体の品種と同一の品種の前記複数の検査結果を表す情報を表示する制御を行う場合、前記同一の品種の検査結果を記憶する記憶装置から取得可能な全ての検査結果、又は前記全ての検査結果のうちの直近の一部の検査結果を表す情報を表示する制御を行う
請求項１又は請求項２に記載の表示制御装置。
【請求項５】
前記表示制御部は、前記被検体個体及び前記被検体個体の品種と同一の品種の双方の前記複数の検査結果を表す情報を表示する制御を行う
請求項３又は請求項４に記載の表示制御装置。
【請求項６】
前記複数の検査結果を表す情報は、前記複数の検査結果それぞれに対応する点が、前記特定の時点に対応する位置上にプロットされた一軸上の散布図である
請求項１から請求項５の何れか１項に記載の表示制御装置。
【請求項７】
前記表示制御部は、同一の値の検査結果が複数存在する場合、同一の値の検査結果を表す情報の各々を前記第１の軸の方向に沿って異なる時点に対応する位置上に表示する制御を行う
請求項６に記載の表示制御装置。
【請求項８】
前記表示制御部は、前記複数の検査結果を表す情報を、ヒストグラムによって表示する制御を行う
請求項１から請求項５の何れか１項に記載の表示制御装置。
【請求項９】
前記表示制御部は、検査結果の頻度に、古い検査結果ほど小さい重み値を用いた重み付けを行って前記制御を行う
請求項１から請求項８の何れか１項に記載の表示制御装置。
【請求項１０】
前記表示制御部は、前記複数の検査結果の数、及び前記複数の検査結果における所定の時点よりも前の検査結果の割合の少なくとも一方に応じて、前記複数の検査結果を表す情報の表示状態を異ならせて表示する制御を行う
請求項１から請求項９の何れか１項に記載の表示制御装置。
【請求項１１】
前記表示制御部は、前記複数の検査結果の数、及び前記複数の検査結果における所定の時点よりも前の検査結果の割合の少なくとも一方に応じて、前記複数の検査結果を表す情報の色を異ならせて表示する制御を行う
請求項１０に記載の表示制御装置。
【請求項１２】
前記検査項目毎に、検査結果が異常値であるか否かを判定する判定部を更に備え、
前記所定の検査項目は、前記判定部により検査結果が異常値であると判定された検査項目である
請求項１から請求項１１の何れか１項に記載の表示制御装置。
【請求項１３】
前記表示制御部は、検査結果が前記異常値であると判定された検査項目について、異常の度合いが高いほど優先的に前記グラフを表示する制御を行う
請求項１２に記載の表示制御装置。
【請求項１４】
前記表示制御部は、更に、複数の検査項目を、検査結果が異常値である検査項目と正常値である検査項目とで色を異ならせて表示する制御を行う
請求項１から請求項１３の何れか１項に記載の表示制御装置。
【請求項１５】
前記表示制御部は、検査結果が異常値である検査項目について、検査結果が正常値の下限値未満であるか、又は上限値を超えるかによって更に色を異ならせて表示する制御を行う
請求項１４に記載の表示制御装置。
【請求項１６】
前記表示制御部は、検査結果が前記正常値の下限値未満である検査項目について、前記下限値との差異の度合いに応じて色の濃度を異ならせて表示する制御を行い、かつ検査結果が前記正常値の上限値を超える検査項目について、前記上限値との差異の度合いに応じて色の濃度を異ならせて表示する制御を行う
請求項１５に記載の表示制御装置。
【請求項１７】
前記表示制御部は、前記複数の検査項目をタイル状に並べて表示する制御を行う
請求項１４から請求項１６の何れか１項に記載の表示制御装置。
【請求項１８】
前記表示制御部は、前記被検体の健康診断における前記グラフを表示する第１表示画面と、前記健康診断で行う検査項目とは異なる検査項目を含む不定期検査における前記グラフを表示する第２表示画面とを切り替える制御を行う
請求項１から請求項１７の何れか１項に記載の表示制御装置。
【請求項１９】
前記第１表示画面における前記グラフとして表示する過去の検査結果の数は、前記第２表示画面における前記グラフとして表示する過去の検査結果の数よりも多い
請求項１８に記載の表示制御装置。
【請求項２０】
前記表示制御部は、前記不定期検査における検査項目のうち、前記健康診断にも含まれる検査項目については、前記検査結果の履歴として前記健康診断の検査結果を含めて前記グラフを表示する制御を行う
請求項１８又は請求項１９に記載の表示制御装置。
【請求項２１】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、それぞれの検査結果の頻度に応じて異なる色又は濃度で表示する制御を行う
処理をコンピュータが実行する表示制御方法。
【請求項２２】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、それぞれの検査結果の頻度に応じて異なる色又は濃度で表示する制御を行う
処理をコンピュータに実行させるための表示制御プログラム。
【請求項２３】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、同一の色及び濃度のヒストグラムによって表示する制御を行う表示制御部
を備えた表示制御装置。
【請求項２４】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、同一の色及び濃度のヒストグラムによって表示する制御を行う
処理をコンピュータが実行する表示制御方法。
【請求項２５】
被検体における複数の検査項目のうちの所定の検査項目について、前記被検体個体の直近の検査結果と、過去の検査結果でかつ直近の検査結果から所定数分の検査結果とを含む検査結果の履歴を表すグラフであって、前記検査結果を表す第１の軸と時系列を表す第２の軸とを有するグラフを表示し、
かつ前記第２の軸の特定の時点に対応する位置上に、前記第１の軸の方向に沿って、前記被検体個体及び前記被検体個体の品種と同一の品種の少なくとも一方の複数の検査結果を表す情報を、同一の色及び濃度のヒストグラムによって表示する制御を行う
処理をコンピュータに実行させるための表示制御プログラム。
【発明の詳細な説明】
【技術分野】
【０００１】
本開示は、表示制御装置、表示制御方法、及び表示制御プログラムに関する。
【背景技術】
【０００２】
従来、人の健康診断の検査結果における検査項目毎に異常の有無を判定し、異常と判定された検査結果の検査項目毎の表示順序を決定することが行われている（例えば、特許文献１）。
【０００３】
また、人の生体情報を蓄積し、蓄積した生体情報をグラフ化することが行われている（例えば、特許文献２）。
【先行技術文献】
【特許文献】
【０００４】
【特許文献１】特開２００９−１１０２８２号公報
【特許文献２】特開平９−１０１９９８号公報
【発明の概要】
【発明が解決しようとする課題】
【０００５】
しかしながら、特許文献１及び特許文献２に記載の技術では、例えば、直近の検査結果が異常値であった場合に、たまたま異常であったのか、それとも、異常の傾向が強いのかを判断することができない。同様に、例えば、直近の検査結果が正常値であった場合に、たまたま正常であったのか、それとも、正常の傾向が強いのかを判断することもできない。このため、医師等の診察者による被検体の適切な診断を支援することができない、という問題点があった。
【０００６】
本開示は、以上の事情を鑑みて成されたものであり、診察者による被検体の適切な診断を支援することができる表示制御装置、表示制御方法、及び表示制御プログラムを提供することを目的とする。
【課題を解決するための手段】
【０００７】
上記目的を達成するために、本開示の表示制御装置は、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、それぞれの検査結果の頻度に応じて異なる色又は濃度で表示する制御を行う表示制御部を備えている。
【０００８】
なお、本開示の表示制御装置は、被検体が動物である場合、品種が動物の品種であり、被検体が人間である場合、品種が人種であってもよい。
【０００９】
また、本開示の表示制御装置は、表示制御部が、被検体個体の複数の検査結果を表す情報を表示する制御を行う場合、被検体個体の所定数分の検査結果よりも過去の複数の検査結果を表す情報を表示する制御を行ってもよい。
【００１０】
また、本開示の表示制御装置は、表示制御部が、被検体個体の品種と同一の品種の複数の検査結果を表す情報を表示する制御を行う場合、同一の品種の検査結果を記憶する記憶装置から取得可能な全ての検査結果、又は全ての検査結果のうちの直近の一部の検査結果を表す情報を表示する制御を行ってもよい。
【００１１】
また、本開示の表示制御装置は、表示制御部が、被検体個体及び被検体個体の品種と同一の品種の双方の複数の検査結果を表す情報を表示する制御を行ってもよい。
【００１２】
また、本開示の表示制御装置は、複数の検査結果を表す情報が、複数の検査結果それぞれに対応する点が、特定の時点に対応する位置上にプロットされた一軸上の散布図であってもよい。
【００１３】
また、本開示の表示制御装置は、表示制御部が、同一の値の検査結果が複数存在する場合、同一の値の検査結果を表す情報の各々を第１の軸の方向に沿って異なる時点に対応する位置上に表示する制御を行ってもよい。
【００１４】
また、本開示の表示制御装置は、表示制御部が、複数の検査結果を表す情報を、ヒストグラムによって表示する制御を行ってもよい。
【００１５】
また、本開示の表示制御装置は、表示制御部が、検査結果の頻度に、古い検査結果ほど小さい重み値を用いた重み付けを行って上記制御を行ってもよい。
【００１６】
また、本開示の表示制御装置は、表示制御部が、複数の検査結果の数、及び複数の検査結果における所定の時点よりも前の検査結果の割合の少なくとも一方に応じて、複数の検査結果を表す情報の表示状態を異ならせて表示する制御を行ってもよい。
【００１７】
また、本開示の表示制御装置は、表示制御部が、複数の検査結果の数、及び複数の検査結果における所定の時点よりも前の検査結果の割合の少なくとも一方に応じて、複数の検査結果を表す情報の色を異ならせて表示する制御を行ってもよい。
【００１８】
また、本開示の表示制御装置は、検査項目毎に、検査結果が異常値であるか否かを判定する判定部を更に備え、所定の検査項目が、判定部により検査結果が異常値であると判定された検査項目であってもよい。
【００１９】
また、本開示の表示制御装置は、表示制御部が、検査結果が異常値であると判定された検査項目について、異常の度合いが高いほど優先的にグラフを表示する制御を行ってもよい。
【００２０】
また、本開示の表示制御装置は、表示制御部が、更に、複数の検査項目を、検査結果が異常値である検査項目と正常値である検査項目とで色を異ならせて表示する制御を行ってもよい。
【００２１】
また、本開示の表示制御装置は、表示制御部が、検査結果が異常値である検査項目について、検査結果が正常値の下限値未満であるか、又は上限値を超えるかによって更に色を異ならせて表示する制御を行ってもよい。
【００２２】
また、本開示の表示制御装置は、表示制御部が、検査結果が正常値の下限値未満である検査項目について、下限値との差異の度合いに応じて色の濃度を異ならせて表示する制御を行い、かつ検査結果が正常値の上限値を超える検査項目について、上限値との差異の度合いに応じて色の濃度を異ならせて表示する制御を行ってもよい。
【００２３】
また、本開示の表示制御装置は、表示制御部が、複数の検査項目をタイル状に並べて表示する制御を行ってもよい。
【００２４】
また、本開示の表示制御装置は、表示制御部が、被検体の健康診断におけるグラフを表示する第１表示画面と、健康診断で行う検査項目とは異なる検査項目を含む不定期検査におけるグラフを表示する第２表示画面とを切り替える制御を行ってもよい。
【００２５】
また、本開示の表示制御装置は、第１表示画面におけるグラフとして表示する過去の検査結果の数が、第２表示画面におけるグラフとして表示する過去の検査結果の数よりも多くてもよい。
【００２６】
また、本開示の表示制御装置は、表示制御部が、不定期検査における検査項目のうち、健康診断にも含まれる検査項目については、検査結果の履歴として健康診断の検査結果を含めてグラフを表示装置に表示する制御を行ってもよい。
【００２７】
一方、上記目的を達成するために、本開示の表示制御方法は、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、それぞれの検査結果の頻度に応じて異なる色又は濃度で表示する制御を行う処理をコンピュータが実行するものである。
【００２８】
また、上記目的を達成するために、本開示の表示制御プログラムは、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、それぞれの検査結果の頻度に応じて異なる色又は濃度で表示する制御を行う処理をコンピュータに実行させるためのものである。
【００２９】
また、上記目的を達成するために、本開示の表示制御装置は、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、同一の色及び濃度のヒストグラムによって表示する制御を行う表示制御部を備えている。
【００３０】
また、上記目的を達成するために、本開示の表示制御方法は、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、同一の色及び濃度のヒストグラムによって表示する制御を行う処理をコンピュータが実行するものである。
【００３１】
また、上記目的を達成するために、本開示の表示制御プログラムは、被検体における複数の検査項目のうちの所定の検査項目について、被検体個体の直近の検査結果と、過去の検査結果でかつ直近の検査結果から所定数分の検査結果とを含む検査結果の履歴を表すグラフであって、検査結果を表す第１の軸と時系列を表す第２の軸とを有するグラフを表示し、かつ第２の軸の特定の時点に対応する位置上に、第１の軸の方向に沿って、被検体個体及び被検体個体の品種と同一の品種の少なくとも一方の複数の検査結果を表す情報を、同一の色及び濃度のヒストグラムによって表示する制御を行う処理をコンピュータに実行させるためのものである。
【発明の効果】
【００３２】
本開示によれば、診察者による被検体の適切な診断を支援することができる。
【図面の簡単な説明】
【００３３】
【図１】実施形態に係る表示制御装置の配置場所の一例を示す平面図である。
【図２】実施形態に係る検査結果テーブルの一例を示す図である。
【図３】実施形態に係る表示制御装置のハードウェア構成の一例を示すブロック図である。
【図４】実施形態に係る表示制御装置の機能的な構成の一例を示すブロック図である。
【図５】実施形態に係る第１表示画面の一例を示す図である。
【図６】実施形態に係る第２表示画面の一例を示す図である。
【図７】変形例に係る第２表示画面の一例を示す図である。
【図８】実施形態に係る表示制御処理の一例を示すフローチャートである。
【図９】変形例に係る複数の検査項目をタイル状に並べて表示する画面の一例を示す図である。
【図１０】変形例に係る表示画面の一部を拡大した拡大図である。
【図１１】変形例に係る表示画面の一部を拡大した拡大図である。
【図１２】変形例に係る表示画面の一部を拡大した拡大図である。
【図１３】変形例に係る表示画面の一部を拡大した拡大図である。
【図１４】変形例に係る表示画面の一部を拡大した拡大図である。
【図１５】変形例に係る表示画面の一部を拡大した拡大図である。
【図１６】変形例に係る表示画面の一部を拡大した拡大図である。
【図１７】変形例に係る表示画面の一部を拡大した拡大図である。
【図１８】変形例に係る検査結果の履歴を表すグラフの一例を示す図である。
【発明を実施するための形態】
【００３４】
以下、図面を参照して、本開示の技術を実施するための形態例を詳細に説明する。
【００３５】
まず、図１を参照して、本実施形態に係る表示制御装置１０の配置場所を説明する。図１に示すように、表示制御装置１０は、動物病院の診察室及びバックヤードに設けられた表示装置１２に対応してバックヤードに設けられている。表示装置１２は、表示制御装置１０に接続され、表示制御装置１０によって表示が制御される。表示制御装置１０の例としては、パーソナルコンピュータが挙げられ、表示装置１２の例としては、液晶ディスプレイが挙げられる。表示装置１２は、被検体の動物の飼い主への説明のために診察室に設けられ、検査結果を予め確認するためにバックヤードにも設けられる。
【００３６】
また、バックヤードには、検査結果テーブル１６を記憶するストレージ装置１４が設けられている。各表示制御装置１０とストレージ装置１４とは、通信可能に接続される。なお、ストレージ装置１４は、例えば、インターネット等のネットワークを介して通信可能なクラウドサーバであってもよい。検査機器による検査を行って得られた検査結果データは、検査機器からネットワークを介してストレージ装置１４に転送される。検査機器の例としては、血液検査の場合には蛋白、酵素、窒素、及び電解質等を検査する生化学検査機が挙げられる。また、検査機器の例としては、免疫等を検査する免疫検査機、及び血球を検査する血球計数計等が挙げられる。更に、検査室では、Ｘ線画像診断装置、超音波診断装置、及び内視鏡等で検査が行われる場合もあり、これらの装置からも画像等の情報がネットワークを介してストレージ装置１４に転送されてもよい。
【００３７】
図２に、検査結果テーブル１６の一例を示す。図２に示すように、検査結果テーブル１６には、被検体の動物毎に、識別情報の一例としてのＩＤ（IDentifier）、名前、性別、年齢、種族、品種、及び検査結果情報が記憶される。検査結果情報には、検査の実施日、検査が健康診断であるか否かを表す情報（図２では、「健診」と表記）、及び検査機器による検査により得られた各検査項目の検査結果が記憶される。図２の例では、健診列が「Ｙ」の検査結果は、健康診断で行われる検査項目に対応する検査結果を表し、「Ｎ」の検査結果は、健康診断で行われる検査項目とは異なる検査項目を含む不定期検査に対応する検査結果を表す。
【００３８】
ここでいう不定期検査とは、定期的に行う健康診断とは異なる検査を意味し、例えば、獣医師等の診察者による診察の結果、特定の疾患の診断のために行われる検査等が挙げられる。なお、不定期検査で行われる検査項目は、健康診断で行われる検査項目を含む場合もある。また、図２の例では図示を省略しているが、検査結果テーブル１６には、各検査項目に対応して、診察者が着目しているか否かを表す情報も記憶される。
【００３９】
次に、図３を参照して、本実施形態に係る表示制御装置１０のハードウェア構成を説明する。図３に示すように、表示制御装置１０は、ＣＰＵ（Central Processing Unit）２０、一時記憶領域としてのメモリ２１、及び不揮発性の記憶部２２を含む。また、表示制御装置１０は、表示装置１２が接続される外部Ｉ／Ｆ（InterFace）２３、キーボードとマウス等の入力部２４、及びネットワークに接続されるネットワークＩ／Ｆ２５を含む。ＣＰＵ２０、メモリ２１、記憶部２２、外部Ｉ／Ｆ２３、入力部２４、及びネットワークＩ／Ｆ２５は、バス２６に接続される。なお、表示装置１２は、表示部とタッチパネルとが一体化されており、表示装置１２に対するユーザの入力は、外部Ｉ／Ｆ２３を介して表示制御装置１０に入力される。
【００４０】
記憶部２２は、ＨＤＤ（Hard Disk Drive）、ＳＳＤ（Solid State Drive）、及びフラッシュメモリ等によって実現される。記憶媒体としての記憶部２２には、表示制御プログラム３０が記憶される。ＣＰＵ２０は、記憶部２２から表示制御プログラム３０を読み出してからメモリ２１に展開し、展開した表示制御プログラム３０を実行する。
【００４１】
次に、図４を参照して、本実施形態に係る表示制御装置１０の機能的な構成について説明する。図４に示すように、表示制御装置１０は、受付部４０、取得部４２、判定部４４、表示制御部４６、及び印刷制御部４８を含む。ＣＰＵ２０が表示制御プログラム３０を実行することで、受付部４０、取得部４２、判定部４４、表示制御部４６、及び印刷制御部４８として機能する。
【００４２】
受付部４０は、診察者により入力された、健康診断の検査結果を表示する第１表示画面の表示指示を受け付ける。また、受付部４０は、診察者により入力された、不定期検査の検査結果を表示する第２表示画面の表示指示を受け付ける。これらの表示指示には、検査結果の表示対象とする動物のＩＤが含まれる。また、受付部４０は、診察者により入力された印刷指示を受け付ける。また、受付部４０は、診察者により入力された診察者が着目している検査項目を受け付ける。
【００４３】
取得部４２は、検査結果テーブル１６を参照し、受付部４０により受け付けられたＩＤに対応する名前、性別、年齢、種族、品種、及び検査結果情報を取得する。
【００４４】
判定部４４は、取得部４２により取得された検査結果情報に含まれる検査項目毎に、検査結果が異常値であるか否かを判定する。具体的には、判定部４４は、検査結果が動物の種族毎で、かつ検査項目毎に予め定められた正常値の下限値以上で、かつ上限値以下である場合、検査結果が正常値であると判定する。また、判定部４４は、検査結果が正常値の下限値未満であるか、又は正常値の上限値を超える場合、検査結果が異常値であると判定する。なお、以下では、この正常値の下限値以上で、かつ上限値以下の範囲を「正常値範囲」といい、正常値の下限値未満の範囲、及び上限値を超える範囲を「異常値範囲」という。なお、この正常値の下限値及び上限値は、動物の品種毎で、かつ検査項目毎に予め定められていてもよい。
【００４５】
表示制御部４６は、受付部４０により受け付けられた表示指示に応じて第１表示画面と第２表示画面とを切り替える制御を行う。また、表示制御部４６は、第１表示画面及び第２表示画面において、判定部４４により検査結果が異常値であると判定された検査項目について、検査結果の履歴を表すグラフを表示装置１２に表示する制御を行う。この検査結果の履歴は、直近の検査結果と、過去の検査結果でかつ直近の検査結果から所定数分の検査結果を含む。また、このグラフは、検査結果を表す第１の軸と時系列を表す第２の軸とを有する。本実施形態では、表示制御部４６は、直近の検査結果及び直近の１つ前の検査結果の少なくとも一方が異常値であると判定された検査項目について、上記グラフを表示装置１２に表示する制御を行う。このように直近及び直近の１つ前の検査結果の少なくとも一方が異常値である検査項目のグラフを表示することで、当該検査項目の検査結果が異常から正常になった状態、正常から異常になった状態、及び異常が継続している状態、の３つの状態を診察者に認識させ易くすることが可能となる。また、表示制御部４６は、上記グラフにおいて、正常値範囲と異常値範囲とを視認可能に表示する制御を行う。なお、表示制御部４６は、上記グラフにおいて、正常値範囲と異常値範囲との何れか一方を視認可能に表示する制御を行ってもよい。
【００４６】
また、表示制御部４６は、第１表示画面におけるグラフとして表示する過去の検査結果の数は、第２表示画面におけるグラフとして表示する過去の検査結果の数よりも多くする。また、表示制御部４６は、上記グラフの第２の軸の特定の時点に対応する位置（本実施形態では、右端の位置）上に、第１の軸の方向に沿って、上記所定数分の検査結果よりも更に過去の複数の検査結果を表す情報を表示装置１２に表示する制御を行う。また、この際、表示制御部４６は、この複数の検査結果を表す情報を、それぞれの検査結果の頻度に応じて異なる濃度で表示する制御を行う。なお、表示制御部４６は、この複数の検査結果を表す情報を、それぞれの検査結果の頻度に応じて異なる色で表示する制御を行ってもよい。本実施形態では、表示制御部４６は、過去の複数の異なる時点の検査結果それぞれに対応する矩形状の点を、上記グラフの第２の軸の特定の時点に対応する位置上にプロットした一軸上の散布図を表示装置１２に表示する制御を行う。すなわち、頻度が高い検査結果ほど、点が重なってプロットされることによって濃度が高くなる。
【００４７】
また、表示制御部４６は、第２表示画面において、不定期検査における検査項目のうち、健康診断にも含まれる検査項目については、検査結果の履歴として健康診断の検査結果を含めてグラフを表示装置１２に表示する制御を行う。
【００４８】
また、表示制御部４６は、判定部４４により検査結果が正常値であると判定された検査項目であっても、受付部４０により受け付けられた診察者が着目している検査項目については、上記グラフを表示装置１２に表示する制御を行う。
【００４９】
また、表示制御部４６は、各表示画面において、上記グラフとは別に、直近の検査結果の一覧を表示する制御を行う。この制御の際、表示制御部４６は、正常値範囲と異常値範囲とを視認可能に表示する制御を行う。
【００５０】
印刷制御部４８は、受付部４０により印刷指示が受け付けられた場合、不図示の印刷装置に対し、表示装置１２に表示されている画面を、１枚の用紙に収まるようにレイアウトして印刷する制御を行う。また、印刷はカラーで行われることが望ましい。また、印刷された表示結果を後日に見た場合に、異常値である検査項目がどれであったかを見つけやすいように、文章での記載（例えば、「血糖値、ＡＳＴ／ＧＯＴが上限超え」等）を行ってもよい。あるいは、検査結果が異常値である検査項目のフォントを太字に変更したり、下線を付したり、及び別フォントに（例えば、ゴシックからイタリック等に）変更したりすることによって強調してもよい。また、印刷装置が白黒機の場合でも検査結果が異常値である検査項目が判別しやすいように、検査結果が異常値である検査項目のフォントを太字に変更したりすることによって強調してもよい。更に、この場合、検査結果が異常値である検査項目の文字に下線を付したり、別フォントに変更したり、フォントサイズを検査結果が正常値である検査項目よりも大きくしたり、塗りつぶしの白抜き（例えば、文字が白で周縁が黒）としたりすること等で強調してもよい。
【００５１】
図５に、第１表示画面の一例を示す。図５に示すように、本実施形態に係る第１表示画面は、表示領域６０、６２、６４を含む。表示領域６０は、ヘッダー部であり、表示領域６０には、被検体の動物のＩＤ、名前、性別、年齢、種族、及び品種が表示される。
【００５２】
また、表示領域６２には、上記グラフが表示される。各検査項目のグラフの縦軸は検査結果を表す第１の軸であり、横軸は時系列を表す第２の軸である。また、例えば、グラフの表示領域の背景色について、正常値範囲は白とし、かつ異常値範囲はグレーとすることによって、正常値範囲と異常値範囲とが視認可能になっている。また、第１表示画面における各グラフの検査結果の履歴の数は計６個とされている。また、グラフにプロットされている点の色は、正常値の下限値未満である異常値に対応する点は青色、正常値の上限値を超える異常値に対応する点は赤色、正常値に対応する点は黒色とされている。
【００５３】
また、表示領域６２には、グラフとは別に、横軸の右端部の位置に、縦軸に沿って、グラフとして表示されている検査結果よりも過去の複数の検査結果を表す情報が表示される。本実施形態では、図５の拡大部分に示すように、グラフとして表示されている検査結果よりも過去の全ての検査結果について、それぞれの検査結果の頻度が高いほど濃度を高くしてバーを表示している。すなわち、診察者は、グラフを見ることによって直近の所定数分の検査結果から異常値が連続しているか、又は異常値が単発で発生しているか等を判別できる。さらに、診察者は、上記のバーを確認することによって、更に過去の検査結果の上限値、下限値、及び頻度の高い値を確認することができる。
【００５４】
また、表示領域６４には、直近の検査結果の一覧が表示される。図５に示すように、この検査結果の一覧は、検査項目毎に検査結果の値、検査結果をプロットするためのバー、及び検査結果を表す丸印を含む。まだ、検査結果をプロットするためのバーは、正常値範囲が、例えば白色で網掛けされることによって、正常値範囲と異常値範囲とが視認可能に表示される。また、表示領域６４には、検査項目毎に、ピン留めをしているか否かを表すアイコンが表示される。診察者は、着目している検査項目をピン留めすることによって、表示領域６２にグラフを表示することができる。図５の例では、「尿素窒素」がピン留めされている状態を示している。本実施形態では、ピン留めされた検査項目に対応するグラフは、検査結果が異常値である検査項目に対応するグラフよりも優先的に（本実施形態では上の位置に）表示される。また、表示領域６４には、印刷ボタン及び終了ボタンも表示される。
【００５５】
また、表示領域６２の上部には、検査ボタンと健康診断ボタンとが表示され、第１表示画面が表示されている状態で、診察者が検査ボタンを指定することによって、第２表示画面に切り替えることが可能となっている。同様に、後述する第２表示画面が表示されている状態で、診察者が健康診断ボタンを指定することによって、第１表示画面に切り替えることが可能となっている。
【００５６】
図６に、第２表示画面の一例を示す。図６に示すように、本実施形態に係る第２表示画面も、第１表示画面と同様に、表示領域６０、６２、６４を含む。以下では、第２表示画面における第１表示画面と異なる部分についてのみ説明する。
【００５７】
図６に示すように、第２表示画面では、表示領域６２のグラフに履歴として表示される検査結果の数が第１表示画面よりも少なくなっている。また、第２表示画面では、表示領域６２のグラフに、直近の不定期検査における検査項目のうち、健康診断にも含まれる検査項目については、検査結果の履歴として健康診断の検査結果が含まれている。
【００５８】
また、第２表示画面では、表示領域６４の検査結果の一覧にも、直近の不定期検査における検査項目のうち、健康診断にも含まれる検査項目については、検査結果の履歴として健康診断の検査結果が表示される。また、第２表示画面における表示領域６４の検査結果の一覧では、直近の不定期検査には含まれず、かつ過去の健康診断には含まれる検査項目については、直近の不定期検査の検査結果が表示されない。
【００５９】
なお、一例として図７に示すように、第２表示画面における表示領域６４の検査結果の一覧において、直近の不定期検査には含まれず、かつ過去の健康診断には含まれる検査項目（例えば、図６に示すＡ／Ｇ比及び総ビリルビン等）については、検査項目自体を表示しないようにしてもよい。
【００６０】
次に、図８を参照して、本実施形態に係る表示制御装置１０の作用を説明する。ＣＰＵ２０が表示制御プログラム３０を実行することによって、図８に示す表示制御処理が実行される。図８に示す表示制御処理は、例えば、診察者により入力された被検体の動物のＩＤを含む画面の表示指示を表示制御装置１０が受信した場合に実行される。
【００６１】
図８のステップＳ１０で、受付部４０は、診察者により入力された被検体の動物のＩＤを含む画面の表示指示を受け付ける。ステップＳ１２で、取得部４２は、検査結果テーブル１６を参照し、ステップＳ１０の処理により受け付けられたＩＤに対応する名前、性別、年齢、種族、品種、及び検査結果情報を取得する。
【００６２】
ステップＳ１４で、判定部４４は、前述したように、ステップＳ１２の処理により取得された検査結果情報に含まれる検査項目毎に、検査結果が異常値であるか否かを判定する。ステップＳ１６で、表示制御部４６は、前述したように、ステップＳ１２の処理により取得された各種情報、及びステップＳ１４の処理による判定結果に基づいて、第１表示画面を表示装置１２に表示する制御を行う。このように、本実施形態では、初期画面として第１表示画面を表示装置１２に表示しているが、初期画面として第２表示画面を表示してもよい。また、初期画面として第１表示画面及び第２表示画面の何れを表示するかを診察者に選択させてもよい。
【００６３】
ステップＳ１８で、受付部４０は、診察者による入力を受け付ける。ステップＳ２０で、表示制御部４６は、ステップＳ１８の処理により受け付けられた入力が、第１表示画面と第２表示画面の切り替え指示であるか否かを判定する。この判定が否定判定となった場合は、処理はステップＳ２４に移行し、肯定判定となった場合は、処理はステップＳ２２に移行する。具体的には、第１表示画面が表示されている状態で検査ボタンが指定されるか、又は、第２表示画面が表示されている状態で健康診断ボタンが指定されると、ステップＳ２０の判定が肯定判定となる。
【００６４】
ステップＳ２２で、表示制御部４６は、ステップＳ１８の処理により受け付けられた入力に応じて、第１表示画面と第２表示画面とを切り替える制御を行う。具体的には、表示制御部４６は、第１表示画面が表示されている状態で検査ボタンが指定された場合、第２表示画面を表示装置１２に表示する制御を行う。また、表示制御部４６は、第２表示画面が表示されている状態で健康診断ボタンが指定された場合、第１表示画面を表示装置１２に表示する制御を行う。ステップＳ２２の処理が終了すると、処理はステップＳ１８に戻る。
【００６５】
ステップＳ２４で、表示制御部４６は、ステップＳ１８の処理により受け付けられた入力が、ピン留めする操作に対応する入力か否かを判定する。この判定が否定判定となった場合は、処理はステップＳ２８に移行し、肯定判定となった場合は、処理はステップＳ２６に移行する。
【００６６】
ステップＳ２６で、表示制御部４６は、前述したように、ピン留めされた検査項目の検査結果に対応する上記グラフを表示領域６２に追加して表示する制御を行う。また、表示制御部４６は、検査結果テーブル１６の検査結果情報におけるピン留めされた検査項目に対応して、診察者が着目していることを表す情報を記憶する。ステップＳ２６の処理が終了すると処理はステップＳ１８に戻る。
【００６７】
ステップＳ２８で、表示制御部４６は、ステップＳ１８の処理により受け付けられた入力が、印刷ボタンが指定されたことに対応する入力であるか否かを判定する。この判定が肯定判定となった場合は、処理はステップＳ３０に移行する。ステップＳ３０で、印刷制御部４８は、印刷装置に対し、表示装置１２に表示されている画面を、１枚の用紙に収まるようにレイアウトして印刷する制御を行う。ステップＳ３０の処理が終了すると、処理はステップＳ１８に戻る。
【００６８】
一方、ステップＳ２８の判定が否定判定となった場合、表示制御処理が終了する。
【００６９】
以上説明したように、本実施形態によれば、検査結果が異常値であると判定された検査項目について、直近の検査結果と、過去の検査結果でかつ直近の検査結果から所定数分の検査結果とを含む検査結果の履歴を表すグラフを表示装置１２に表示している。更に、グラフとは別に、グラフが有する検査結果を表す第１の軸の方向に沿って、グラフの表示に用いている所定数分の検査結果よりも過去の複数の検査結果を表す情報を表示している。従って、診察者が直近の検査結果及び過去の検査結果を一度に視認できる結果、診察者による動物の適切な診断を支援することができる。
【００７０】
なお、上記実施形態において、検査結果が異常値である検査項目が複数存在する場合、表示領域６２に、異常の度合いが高いほど優先的に（例えば、上の位置に）グラフを表示する形態としてもよい。この場合における異常の度合いは、検査結果が正常値の下限値未満である場合は、下限値に対する検査結果と下限値との差の絶対値の比とし、検査結果が正常値の上限値を超える場合は、上限値に対する検査結果と上限値との差の絶対値の比とする形態が例示される。更に、この場合、上記の比が大きいほど異常の度合いが高いとする形態が例示される。また、この異常の度合いをＡＩ（Artificial Intelligence）技術によって導出してもよい。この場合のＡＩとして、検査結果が異常値である検査項目の検査結果の履歴を入力とし、異常の度合いを出力としたディープニューラルネットワークを適用する形態が例示される。
【００７１】
また、上記実施形態において、一例として、図９に示すように、複数の検査項目を、直近の検査結果が異常値である検査項目と正常値である検査項目とで色を異ならせてタイル状に並べて表示装置１２に表示する形態としてもよい。また、この場合、検査結果が異常値である検査項目について、検査結果が正常値の下限値未満であるか、又は上限値を超えるかによって更に色を異ならせて表示装置１２に表示する形態としてもよい。また、この場合、検査結果が正常値の下限値未満である検査項目について、下限値との差異の度合いに応じて色の濃度を異ならせて表示装置１２に表示する形態としてもよい。また、この場合、検査結果が正常値の上限値を超える検査項目について、上限値との差異の度合いに応じて色の濃度を異ならせて表示装置１２に表示する形態としてもよい。これらの場合の差異の度合いは、上記異常の度合いと同様に求める形態が例示される。
【００７２】
図９の例では、検査結果が正常値である検査項目は緑色で表示され、検査結果が正常値の上限値を超える項目は赤色で表示され、検査結果が正常値の下限値未満である項目は青色で表示されている。また、図９の例では、上記差異の度合いが高くなるほど、色の濃度が高く表示されている。
【００７３】
図９に示したタイル状の画面は、第１表示画面及び第２表示画面の空き領域に表示してもよいし、初期画面として表示してもよい。初期画面として表示した場合は、このタイル状の画面における検査項目が指定された場合に、その検査項目に対応するグラフを表示装置１２に表示する形態が例示される。
【００７４】
また、上記実施形態において、第１表示画面及び第２表示画面の少なくとも一方に、更に、次回の健康診断の予定日を表示する形態としてもよい。この場合における予定日は、例えば、品種及び年齢毎に予め定められた健康診断の間隔（例えば、半年に一度）を、直近の健康診断の実施日に加算することによって求めることができる。
【００７５】
また、上記実施形態において、印刷ボタンが指定された場合に、更に、検査結果が異常値である検査項目の検査内容の説明文、及びその検査結果を改善するための方法（例えば、投薬、運動、及び食事等）を印刷する形態としてもよい。
【００７６】
また、上記実施形態において、表示領域６２に表示されたグラフが選択され、非表示指示（例えば、ダブルタップ操作等）が入力された場合に、選択されたグラフを非表示とする形態としてもよい。また、表示領域６４に表示された検査項目が選択され、表示指示が入力された場合に、選択された検査項目のグラフを表示領域６２に表示とする形態としてもよい。
【００７７】
また、上記実施形態では、判定部４４により検査結果が異常値であると判定された検査項目について、検査結果の履歴を表すグラフ及び第１の軸の方向に沿って複数の検査結果を表す情報を表示する場合について説明したが、これに限定されない。例えば、全ての検査項目について、検査結果の履歴を表すグラフ及び第１の軸の方向に沿って複数の検査結果を表す情報を表示する形態としてもよい。また、例えば、表示領域６４に表示された検査項目のうち、ユーザが選択する操作を行うことにより受付部４０により受け付けられた検査項目について、検査結果の履歴を表すグラフ及び第１の軸の方向に沿って複数の検査結果を表す情報を表示する形態としてもよい。
【００７８】
また、上記実施形態では、被検体個体の複数の検査結果を表す情報を第１の軸の方向に沿って表示する場合について説明したが、これに限定されない。例えば、被検体個体の品種と同一の品種の複数の検査結果を表す情報を第１の軸の方向に沿って表示する形態としてもよい。この場合、診察者は、被検体個体ではなく、被検体個体の品種と同一の品種の検査結果の傾向を把握することができる。また、この場合、上記複数の検査結果を表す情報の表示に用いる検査結果として、同一の品種の検査結果を記憶する検査結果テーブル１６から取得可能な被検体個体の品種と同一の品種の全ての検査結果、又は直近の一部（例えば、直近の１年分）の検査結果を適用する形態が例示される。また、被検体個体の複数の検査結果を表す情報と、被検体個体の品種と同一の品種の複数の検査結果を表す情報とを、ユーザ操作によって切り替えて表示してもよい。
【００７９】
また、例えば、図１０に示すように、被検体個体の複数の検査結果を表す情報及び被検体個体の品種と同一の品種の複数の検査結果を表す情報の双方を第１の軸の方向に沿って表示する形態としてもよい。図１０では、被検体個体の複数の検査結果を表す情報及び被検体個体の品種と同一の品種の複数の検査結果を表す情報を、横に並べて表示する例を示している。また、例えば、被検体個体の複数の検査結果を表す情報と、被検体個体の品種と同一の品種の複数の検査結果を表す情報との色を異ならせて表示してもよい。また、例えば、被検体個体の複数の検査結果を表す情報をグラフの正面視左側に表示し、被検体個体の品種と同一の品種の複数の検査結果を表す情報をグラフの正面視右側に表示してもよい。なお、図１０では、図５に示した表示領域６２における検査項目のうち、１つの検査項目を拡大した状態を示している。なお、この状態は、後述する図１１〜図１８でも同様である。
【００８０】
また、上記実施形態において、図１１に示すように、複数の検査結果を表す情報をヒストグラムによって第１の軸の方向に沿って表示する形態としてもよい。図１１では、頻度が高いほど濃度が高く、かつ第２の軸の方向（画面の正面視横方向）に矩形の点が長くなる例を示している。また、例えば、図１２に示すように、複数の検査結果を表す情報を同一の色及び濃度のヒストグラムによって第１の軸の方向に沿って表示する形態としてもよい。
【００８１】
また、上記実施形態では、複数の検査結果を表す情報を、第２の軸の１つの時点に対応する位置上に、第１の軸の方向に沿って表示する場合について説明したが、これに限定されない。例えば、図１３に示すように、同一の値の検査結果が複数存在する場合、同一の値の検査結果を表す情報を、第１の軸の方向に沿って第２の軸の異なる時点に対応する位置上に表示する形態としてもよい。図１３では、１つの検査結果を表す点の形が円形であり、かつ時点に対応する位置の数（すなわち、軸）の数が３つである例を示している。また、この場合、図１３に示すように、同一の値の検査結果を表す情報を異なる軸上に１つの点によって表示する際に、点の一部を重ならせて表示する形態が例示される。この場合、重なっている部分の濃度が高く表示されることとなる。
【００８２】
また、この形態例において、図１４に示すように、頻度が軸の数を超える検査結果については、頻度が軸の数以下の検査結果と異なる色で表示する形態としてもよい。図１４では、頻度が４を超える検査結果の色が異なっている例を示している。
【００８３】
また、上記実施形態では、第１の軸の方向に沿って表示する複数の検査結果を表す情報の形として、矩形を適用した場合について説明したが、これに限定されない。例えば、図１５に示すように、複数の検査結果を表す情報の形として、楕円形を適用する形態としてもよい。また、この形態例において、図１６に示すように、第２の軸の方向に沿って、中心から遠くなるほど濃度を低くしてもよい。
【００８４】
また、上記実施形態において、検査結果の頻度に、古い検査結果ほど小さい重み値を用いた重み付けを行ってもよい。この場合、直近の３年分の検査結果の重み値として１を用い（すなわち、１回の検査結果を頻度１回とする）、直近の３年以前でかつ６年までの検査結果の重み値として０．５を用い（すなわち、２回の検査結果を頻度１回する）、直近の６年以前の検査結果の重み値として０．２５（すなわち、４回の検査結果を頻度１回とする）を用いる形態が例示される。
【００８５】
また、上記実施形態において、第１の軸の方向に沿って表示する検査結果の数、及びその検査結果の数における所定の時点よりも前の検査結果の割合の少なくとも一方に応じて、第１の軸の方向に沿って表示する複数の検査結果を表す情報の表示状態を異ならせてもよい。具体的には、例えば、検査結果の数が閾値以下の場合に、閾値以上の場合とは異なる色で複数の検査結果を表す情報を第１の軸の方向に沿って表示する。また、例えば、複数の検査結果の数における所定の時点よりも前の検査結果の割合が閾値以下の場合に、閾値以上の場合とは異なる色で複数の検査結果を表す情報を第１の軸の方向に沿って表示する。また、例えば、図１７に示すように、第１の軸の方向に沿って表示する検査結果の数が閾値以下の場合に、ヒストグラムを離散的に表示する。これらの形態例によって、検査結果の数及び検査結果の古さの少なくとも一方によって、検査結果の頻度の精度を把握することができる。
【００８６】
また、上記実施形態において、表示領域６２に表示するグラフについて、検査結果が院内検査により得られた結果であるか、又は院外検査により得られた結果であるかを区別可能に表示してもよい。この場合、図１８に示すように、院内検査により得られた検査結果の履歴を表すグラフと、院外検査により得られた検査結果の履歴を表すグラフとを正面視縦に並べて表示する形態が例示される。この場合、例えば、図１８に示すように、第１の軸の方向に沿って表示する複数の検査結果を表す情報も院内検査と院外検査とによって分けて表示してもよい。また、例えば、図５に示す表示領域６２のグラフにおいて、院内検査により得られた検査結果と、院外検査により得られた検査結果とでプロットする点の色を異ならせることによって、区別可能に表示してもよい。なお、ここでいう院内検査とは、動物病院内に設置された検査機器で行われた検査を意味し、院外検査とは、動物病院外の他の施設で行われた検査を意味する。また、この場合、検査結果テーブル１６の検査結果情報に、更に、院内検査により得られた検査結果であるか、又は院外検査により得られた検査結果であるかを表す情報を記憶する形態が例示される。
【００８７】
また、上記実施形態では、被検体として、人間以外の動物を適用する場合について説明したが、これに限定されない。被検体として、人間を適用する形態としてもよい。この場合、上記実施形態における品種は、人種に相当する。また、この場合、被検体の年代と同一の年代の複数の検査結果を表す情報を、それぞれの検査結果の頻度に応じて異なる色又は濃度で第１の軸の方向に沿って表示する形態としてもよい。また、この場合、被検体の親族の所定数分の検査結果を表す情報を、それぞれの検査結果の頻度に応じて異なる色又は濃度で第１の軸の方向に沿って表示する形態としてもよい。
【００８８】
また、上記実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００８９】
また、上記実施形態では、表示制御プログラム３０が記憶部２２に予め記憶（インストール）されている態様を説明したが、これに限定されない。表示制御プログラム３０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、表示制御プログラム３０は、ネットワークを介して外部装置からダウンロードされる形態としてもよい。
【符号の説明】
【００９０】
１０  表示制御装置
１２  表示装置
１４  ストレージ装置
１６  検査結果テーブル
２０  ＣＰＵ
２１  メモリ
２２  記憶部
２３  外部Ｉ／Ｆ
２４  入力部
２５  ネットワークＩ／Ｆ
２６  バス
３０  表示制御プログラム
４０  受付部
４２  取得部
４４  判定部
４６  表示制御部
４８  印刷制御部
６０、６２、６４  表示領域
【図１】
2019200770.tif 000003
【図２】
2019200770.tif 000004
【図３】
2019200770.tif 000005
【図４】
2019200770.tif 000006
【図５】
2019200770.tif 000007
【図６】
2019200770.tif 000008
【図７】
2019200770.tif 000009
【図８】
2019200770.tif 000010
【図９】
2019200770.tif 000011
【図１０】
2019200770.tif 000012
【図１１】
2019200770.tif 000013
【図１２】
2019200770.tif 000014
【図１３】
2019200770.tif 000015
【図１４】
2019200770.tif 000016
【図１５】
2019200770.tif 000017
【図１６】
2019200770.tif 000018
【図１７】
2019200770.tif 000019
【図１８】
2019200770.tif 000020